(57)【要約】【課題】  放送された楽曲に楽曲情報を付加して自動録音する放送録音装置を実現する。【解決手段】  文字情報が多重化された放送を受信し音声信号及び文字情報を復調する受信手段３と、音声信号に含まれる楽曲部分を分離する楽曲分離手段１０と、楽曲分離手段１０によって分離された楽曲に当該楽曲が送信されていた時刻を示す時刻情報を付して格納する楽曲格納手段１４と、放送で送信された楽曲についての楽曲情報を文字情報から抽出する楽曲情報抽出手段１０と、抽出された楽曲情報に当該楽曲情報が送信されていた時刻を示す時刻情報を付して記憶する楽曲情報記憶手段１３と、楽曲格納手段１４に格納されている楽曲の時刻情報と楽曲情報記憶手段１３に記憶されている楽曲情報の時刻情報とを照合して楽曲格納手段１４に格納されている各楽曲についての楽曲情報を取得し、当該楽曲に対して当該楽曲情報を付加する楽曲情報付加手段１０とを放送録音装置１に設けた。【選択図】        図１
2006040441.tif 000002
【特許請求の範囲】
【請求項１】
文字情報が多重化された放送を受信し、音声信号及び上記文字情報を復調する受信手段と、
上記音声信号に含まれる楽曲部分を分離する楽曲分離手段と、
上記楽曲分離手段によって分離された楽曲に、当該楽曲が送信されていた時刻を示す時刻情報を付して格納する楽曲格納手段と、
上記放送で送信された楽曲についての楽曲情報を上記文字情報から抽出する楽曲情報抽出手段と、
上記抽出された楽曲情報に、当該楽曲情報が送信されていた時刻を示す時刻情報を付して記憶する楽曲情報記憶手段と、
上記楽曲格納手段に格納されている上記楽曲の時刻情報と上記楽曲情報記憶手段に記憶されている上記楽曲情報の時刻情報とを照合して、上記楽曲格納手段に格納されている上記楽曲それぞれについての上記楽曲情報を取得し、当該楽曲に対して当該楽曲情報を付加する楽曲情報付加手段と
を具えることを特徴とする放送録音装置。
【請求項２】
文字情報が多重化された放送を受信し、音声信号及び上記文字情報を復調する受信ステップと、
上記音声信号に含まれる楽曲部分を分離する楽曲分離ステップと、
上記楽曲分離ステップによって分離された楽曲に、当該楽曲が送信されていた時刻を示す時刻情報を付して楽曲格納手段に格納する楽曲格納ステップと、
上記放送で送信された楽曲についての楽曲情報を上記文字情報から抽出する楽曲情報抽出ステップと、
上記抽出された楽曲情報に、当該楽曲情報が送信されていた時刻を示す時刻情報を付して楽曲情報記憶手段に記憶する楽曲情報記憶ステップと、
上記楽曲格納手段に格納されている上記楽曲の時刻情報と上記楽曲情報記憶手段に記憶されている上記楽曲情報の時刻情報とを照合することにより、上記楽曲格納手段に格納されている上記楽曲それぞれについての上記楽曲情報を取得し、当該楽曲に対して当該楽曲情報を付加する楽曲情報付加ステップと
を具えることを特徴とする放送録音方法。
【発明の詳細な説明】
【技術分野】
【０００１】
本発明は放送録音装置に関し、放送を受信して楽曲を録音する用途に適用して好適なものである。
【背景技術】
【０００２】
従来、ラジオ放送を受信して所望の楽曲等をカセットテープやミニディスクに録音するエアチェックが一般的に行われている。
【０００３】
また、パーソナルコンピュータにラジオ受信機を接続し、当該ラジオ受信機で受信した楽曲をパーソナルコンピュータのハードディスクに記録するようなシステムも提案されている（例えば、特許文献１参照）。
【特許文献１】特開２００３−１８０３２公報
【発明の開示】
【発明が解決しようとする課題】
【０００４】
しかしながら上述したエアチェックを行う際には、録音しようとする目的の楽曲の送信にあわせて録音の開始・終了操作を行うか、あるいは番組を連続的に録音しておき、録音終了後に目的の楽曲を編集する必要があり、ユーザに煩雑な操作を強いているという問題があった。
【０００５】
また、ミニディスクやパーソナルコンピュータ等においては音楽データに対して曲名やアーティスト名等の楽曲情報を付加することができるが、上述したエアチェックによって録音した楽曲に楽曲情報を付加させようとした場合、例えば新聞等の番組表から楽曲情報を見つけ、これを楽曲に対応させて手入力する必要があり、ユーザに対しさらに煩雑な操作を強いているという問題があった。
【０００６】
本発明は以上の点を考慮してなされたもので、放送された楽曲に楽曲情報を付加して自動録音できる放送録音装置を提案しようとするものである。
【課題を解決するための手段】
【０００７】
かかる課題を解決するため本発明においては、文字情報が多重化された放送を受信し、音声信号及び上記文字情報を復調する受信手段と、音声信号に含まれる楽曲部分を分離する楽曲分離手段と、楽曲分離手段によって分離された楽曲に、当該楽曲が送信されていた時刻を示す時刻情報を付して格納する楽曲格納手段と、放送で送信された楽曲についての楽曲情報を文字情報から抽出する楽曲情報抽出手段と、抽出された楽曲情報に、当該楽曲情報が送信されていた時刻を示す時刻情報を付して記憶する楽曲情報記憶手段と、楽曲格納手段に格納されている楽曲の時刻情報と楽曲情報記憶手段に記憶されている楽曲情報の時刻情報とを照合して、楽曲格納手段に格納されている楽曲それぞれについての楽曲情報を取得し、当該楽曲に対して当該楽曲情報を付加する楽曲情報付加手段とを放送録音装置に設けた。
【０００８】
放送を受信して得た音声から楽曲を分離するとともに、文字情報から楽曲情報を抽出し、それぞれの時刻情報に基づき、楽曲格納手段に格納した楽曲に楽曲情報を付加するようにしたことにより、特段の操作を要することなく、放送された楽曲に楽曲情報を付加して自動録音することができる。
【発明の効果】
【０００９】
本発明によれば、放送を受信して得た音声から楽曲を分離するとともに、文字情報から楽曲情報を抽出し、それぞれの時刻情報に基づいて楽曲格納手段に格納した楽曲に楽曲情報を付加するようにしたことにより、特段の操作を要することなく、放送された楽曲に楽曲情報を付加して自動録音できる放送録音システムを実現することができる。
【発明を実施するための最良の形態】
【００１０】
以下、図面について、本発明の一実施の形態を詳述する。
【００１１】
（１）放送録音システムの全体構成
図１において１は全体として本発明による放送録音装置としての放送録音システムを示し、パーソナルコンピュータ２とＦＭ（Frequency Modulation）受信機３とがＵＳＢ（Universal Serial Bus）接続されて構成される。
【００１２】
パーソナルコンピュータ２は、当該パーソナルコンピュータ２全体を統括的に制御するＣＰＵ（Central Processing Unit）１０に対し、バス１１を介してＲＯＭ（Read Only Memory）１２、ＲＡＭ（Random-Access Memory）１３、ハードディスクドライブ１４、例えば液晶ディスプレイでなる表示部１５、キーボードやマウス等で構成される操作部１６、スピーカ１７及びＵＳＢインターフェース１８が接続されて構成される。
【００１３】
そしてＣＰＵ１０は、ハードディスクドライブ１４に格納されたオペレーティングシステムや、後述する自動楽曲録音プログラム等の各種アプリケーションプログラムをＲＡＭ１３上で実行することにより、パーソナルコンピュータ２の各種機能を実現するようになされている。
【００１４】
一方、受信手段としてのＦＭ受信機３は、当該ＦＭ受信機３を統括的に制御するＣＰＵ２０に対し、バス２１を介してチューナ２２，音声処理回路２３、文字情報デコーダ２４、ＵＳＢインターフェース２５及びスピーカ２６が接続されて構成される。
【００１５】
ＦＭ受信機３のＣＰＵ２０は、パーソナルコンピュータ２からＵＳＢインターフェース１８及び２５を介して供給される制御信号に応じてチューナ２２を制御する。チューナ２２は、アンテナ２６を介して受信したＦＭ放送波を復調し、復調信号を音声処理回路２３及び文字放送デコーダ２４に供給する。
【００１６】
ここでＦＭ放送波には、放送の音声信号と番組名や番組内で送信される楽曲名等の情報でなる文字情報とが多重化されて放送されている。音声処理回路２３は、復調信号から音声信号を生成しスピーカ２６を介して再生するとともに、当該音声信号をデジタル変換してなる音声データをＵＳＢインターフェース２５を介してパーソナルコンピュータ２に供給する。また文字放送デコーダ２４は、復調信号から文字情報を分離し、ＵＳＢインターフェース２５を介してパーソナルコンピュータ２に供給する。そしてパーソナルコンピュータ２のＣＰＵ１０は、後述する自動楽曲録音プログラムに従い、ＦＭ受信機３から供給された音声データに含まれる楽曲をハードディスクドライブ１４に録音していく。
【００１７】
（２）自動楽曲録音プログラム
図２は自動楽曲録音プログラムのタスク構成を示し、音声データ保存タスク、楽曲分離タスク、文字情報解析タスク及び楽曲名付加タスクの４つのタスクを、ＣＰＵ１０が同時並行処理するようになされている。
【００１８】
音声データ保存タスクにおいてＣＰＵ１０は、ＦＭ受信機３から供給される音声データをＲＡＭ１３に一時的に保存していく。
【００１９】
また楽曲分離タスクにおいて、楽曲分離手段としてのＣＰＵ１０は、ＲＡＭ１３に保存されている音声データを、アナウンサ等の音声部分でなる声データと音楽部分でなる楽曲データとに分離し、楽曲データのみを例えばＭＰ３（MPEG Audio Layer 3）等の圧縮フォーマットを用いて圧縮し、当該楽曲データの元となる楽曲の送信開始時刻及び送信終了時刻を対応付けて、楽曲格納手段としてのハードディスクドライブ１４に保存する。
【００２０】
なお、音声データを声データと楽曲データとに分離するための解析方法は特に限定しないが、例えば、人間の声をサンプリングしておき、当該サンプリングデータの特徴点と受信した音声データの特徴点とを統計的に比較して、一致度が高い場合は声データとし一致度が低い場合は楽曲データとして分離する方法を用いることができる。また、会話には比較的短い間隔毎に無音区間が出現することから、音声データにおける無音区間を検出し、当該無音区間の発生間隔に基づいて、声データと楽曲データとを分離するようにしてもよい。
【００２１】
一方文字情報解析タスクにおいて、楽曲情報抽出手段としてのＣＰＵ１０は、ＦＭ受信機３から供給される文字情報の文字列を解析して当該文字情報に含まれる楽曲情報（曲名及びアーティスト名）を抽出し、当該楽曲情報が送信されていた時の時刻情報を対応付けて、楽曲情報記憶手段としてのＲＡＭ１３に記憶する。一般に文字情報における楽曲情報は、例えば”「曲名」／「アーティスト名」”のような決まったフォーマットで提供される。ＣＰＵ１０は、文字情報の文字列と楽曲情報のフォーマットとを照合することにより当該文字情報から楽曲情報を抽出する。
【００２２】
このとき、アーティスト名や楽曲名のデータベースを併用することで、文字情報から楽曲情報を抽出する際の抽出精度を向上させることができる。このデータベースとしては、例えばインターネット上で公開されているＣＤＤＢ（CD Data Base）等の情報を用いることができる。
【００２３】
そして、楽曲名付加タスクにおいて楽曲情報付加手段としてのＣＰＵ１０は、楽曲分離タスクによってハードディスクドライブ１４に保存されている複数の楽曲データのうち、楽曲情報が付加されていない楽曲データを検索する。そしてＣＰＵ１０は、楽曲情報が付加されていない楽曲データについて、当該楽曲データについての送信開始時刻及び送信終了時刻とＲＡＭ１３に保存されている楽曲情報の時刻情報とを照合することにより、当該楽曲データの放送中に提供されていた楽曲情報を検索し、当該楽曲情報を楽曲データに付加する。
【００２４】
このとき、基本的には、楽曲の送信開始後もっとも最初に提供された楽曲情報を当該楽曲の楽曲情報として用いれば良いが、実際の放送における楽曲の送信タイミングと当該楽曲についての楽曲情報の提供タイミングとは若干のずれが生じている場合がある。このため、例えば楽曲の送信前後に提供された楽曲情報を用いたり、あるいは楽曲の送信期間中に最も多く提供された楽曲情報を用いるようにしても良い。
【００２５】
かくしてパーソナルコンピュータ２のＣＰＵ１０は、ＦＭ受信機３から供給される音声データから楽曲データを抽出し、楽曲情報を付加してハードディスクドライブ１４に保存する。
【００２６】
このため、ハードディスクドライブ１４に保存された楽曲データを再生する際には、音楽データ再生プログラムの表示画面上に楽曲情報が表示され、これによりユーザは当該楽曲情報に基づいて容易に所望の楽曲データを選択することができる。
【００２７】
（３）動作及び効果
以上の構成において、パーソナルコンピュータ２のＣＰＵ１０は、ＦＭ受信機３から供給される音声データをＲＡＭ１３に一時的に保存した後、当該音声データを声データと楽曲データとに分離し、楽曲データのみを圧縮し送信開始時刻及び送信終了時刻を対応付けてハードディスクドライブ１４に保存する。
【００２８】
このとき同時にＣＰＵ１０は、ＦＭ受信機３から供給される文字情報から楽曲情報を抽出し、当該楽曲情報が送信されていた時の時刻情報を対応付けてＲＡＭ１３に保存する。
【００２９】
そしてＣＰＵ１０は、ハードディスクドライブ１４に保存した楽曲データの送信開始時刻及び送信終了時刻と、ＲＡＭ１３に保存した楽曲情報の時刻情報とを照合することにより、当該楽曲データの送信中に提供されていた楽曲情報を検索し、当該楽曲情報を楽曲データに付加する。
【００３０】
これにより放送録音システム１は、ユーザに対して特段の操作を強いることなく、放送された楽曲に楽曲情報を付加して自動録音することができる。
【００３１】
以上の構成によれば、放送を受信して得た音声データから楽曲データを分離するとともに、文字情報から楽曲情報を抽出し、それぞれの時刻情報に基づいて楽曲データに楽曲情報を付加してハードディスクドライブ１４に保存するようにしたことにより、簡易な操作で、放送された楽曲に楽曲情報を付加して自動録音できる放送録音システムを実現できる。
【００３２】
（４）他の実施の形態
なお上述の実施の形態においては、パーソナルコンピュータ２とＦＭ受信機３とをＵＳＢ接続して放送録音システム１を構成したが、本発明はこれに限らず、ＦＭチューナを内蔵したパーソナルコンピュータやハードディスクレコーダ、あるいはミニコンポ等、他の種々の構成の放送録音装置に本発明を適用することができる。
【００３３】
また上述の実施の形態においては、パーソナルコンピュータ２のＣＰＵ１０が、ハードディスクドライブに格納された自動楽曲録音プログラムに従って楽曲データの分離、楽曲情報の抽出、及び楽曲データに対する楽曲情報の付加といった一連の自動楽曲録音処理を実行するようにしたが、本発明はこれに限らず、自動楽曲録音プログラムが格納されたプログラム格納媒体をパーソナルコンピュータ２にインストールすることにより、上述の自動楽曲録音処理を実行するようにしてもよい。
【００３４】
そして、上述した自動楽曲録音プログラムをパーソナルコンピュータ２にインストールするためのプログラム格納媒体としては、例えばフレキシブルディスク、ＣＤ−ＲＯＭ（Compact Disc-Read Only Memory ）、ＤＶＤ（Digital Versatile Disc ）等のパッケージメディアのみならず、送信制御プログラムが一時的もしくは永続的に格納される半導体メモリや磁気ディスク等で実現してもよい。
【産業上の利用可能性】
【００３５】
本発明の放送録音装置は、放送を受信して楽曲を自動録音する用途に適用することができる。
【図面の簡単な説明】
【００３６】
【図１】本発明による放送録音装置の構成を示すブロック図である。
【図２】自動楽曲録音プログラムのタスク構成を示す略線図である。
【符号の説明】
【００３７】
１……放送録音装置、２……パーソナルコンピュータ、３……ＦＭ受信機、１０、２０……ＣＰＵ、１１、２１……バス、１２……ＲＯＭ、１３……ＲＡＭ、１４……ハードディスクドライブ、１５……表示部、１６……操作部、１７、２６……スピーカ、１８……、２５……ＵＳＢインターフェース、２２……チューナ、２３……音声処理回路、２４……文字情報デコーダ、２６……アンテナ。
【図１】
2006040441.tif 000003
【図２】
2006040441.tif 000004